(57)【特許請求の範囲】
【請求項１】
矩形のシートが折り畳まれ、複数枚が束状に重ねられて収納袋に収められており、前記収納袋の開口部からシートを取り出すシート包装体の製造方法であって、
前記シートは、対向する一方の端辺と他方の端辺との間に所定の間隔を設けるようにして、前記一方の端辺と他方の端辺と平行な第１折り線で２つ折りされ、前記第１折り線により折り曲げられた第１折り辺を境にして第１広幅部と第１狭幅部とが形成され、
さらに、前記第１折り辺と直交方向にある一方の端辺と他方の端辺との間に所定の間隔を設けるようにして、前記第１狭幅部が表面となるように、前記一方の端辺と他方の端辺と平行な第２折り線で２つ折りされ、前記第２折り線により折り曲げられた第２折り辺を境にして第２広幅部と第２狭幅部とが形成され、
前記第２狭幅部を前記収納袋の開口部側に配置して収められていることを特徴とするシート包装体の製造方法。
【請求項２】
矩形のシートが折り畳まれ、複数枚が束状に重ねられて収納袋に収められており、前記収納袋の開口部からシートを取り出すシート包装体の製造方法であって、
前記シートは、対向する一方の端辺と他方の端辺とを揃えるように、または、対向する一方の端辺の縁部と他方の端辺の縁部とを重ね合わせるようにして、前記一方の端辺と他方の端辺と平行な２本の第１折り線でＣ字状に３つ折りされ、前記第１折り線により折り曲げられた第１折り辺を境にして第１広幅部と２つの第１狭幅部とが形成され、
さらに、前記第１折り辺と直交方向にある一方の端辺と他方の端辺との間に所定の間隔を設けるようにして、前記第１狭幅部が表面となるように、前記一方の端辺と他方の端辺と平行な第２折り線で２つ折りされ、前記第２折り線により折り曲げられた第２折り辺を境にして第２広幅部と第２狭幅部とが形成され、
前記第２狭幅部を前記収納袋の開口部側に配置して収められていることを特徴とするシート包装体の製造方法。
【請求項３】
矩形のシートが折り畳まれ、複数枚が束状に重ねられて収納袋に収められており、前記収納袋の開口部からシートを取り出すシート包装体の製造方法であって、
前記シートは、対向する一方の端辺と他方の端辺との間に所定の間隔を設けるようにして、前記一方の端辺と他方の端辺と平行な２本の第１折り線でＣ字状に３つ折りされ、前記第１折り線により折り曲げられた第１折り辺を境にして第１広幅部と２つの第１狭幅部とが形成され、
さらに、前記第１折り辺と直交方向にある一方の端辺と他方の端辺との間に所定の間隔を設けるようにして、前記第１狭幅部が表面となるように、前記一方の端辺と他方の端辺と平行な第２折り線で２つ折りされ、前記第２折り線により折り曲げられた第２折り辺を境にして第２広幅部と第２狭幅部とが形成され、
前記第２狭幅部を前記収納袋の開口部側に配置して収められていることを特徴とするシート包装体の製造方法。
【発明の詳細な説明】
【技術分野】
【０００１】
本発明は、矩形のシートが折り畳まれ、複数枚が束状に重ねられて収納袋に収められているシート包装体の製造方法に関し、特に、収納袋の開口部からシートを１枚ずつ取り出せるようにしたシート包装体の製造方法に関する。
【背景技術】
【０００２】
従来から、矩形のシートが折り畳まれ、複数枚が束状に重ねられて収納袋に収められているシート包装体において、収納袋の開口部からシートを１枚ずつ取り出せるようにしたシート包装体が種々提供されている。
【０００３】
例えば、シートをＺ状に３つ折りし、３つ折りしたシート端辺を開口部に露出するようにして収納袋に納められ、シートを取り出す際には、開口部に露出した端辺を指で摘んでシートを１枚ずつ取り出すようにしたシート包装体が提供されている（例えば、特許文献１参照。）。
【先行技術文献】
【特許文献】
【０００４】
【特許文献１】特開平１０−２６２８５５号公報
【発明の概要】
【発明が解決しようとする課題】
【０００５】
しかしながら、特許文献１に記載のシート包装体は、開口部に露出している端辺がシートの１辺であり、シートを取り出す際に摘む箇所は１箇所しかない。そのため、収納袋の開口部が大きく、開口部に手を挿入してシートの摘む箇所を手探りで探すような場合には、すぐにシートを摘む端辺を見つけることができず、シートを取り出し難いといった問題があった。
【０００６】
本発明は、収納袋から容易に１枚のシートを取り出すことができるシート包装体の製造方法を提供することを目的とする。
【課題を解決するための手段】
【０００７】
上記の目的を達成するために、請求項１に記載のシート包装体の製造方法によれば、矩矩形のシートが折り畳まれ、複数枚が束状に重ねられて収納袋に収められており、前記収納袋の開口部からシートを取り出すシート包装体の製造方法であって、前記シートは、対向する一方の端辺と他方の端辺との間に所定の間隔を設けるようにして、前記一方の端辺と他方の端辺と平行な第１折り線で２つ折りされ、前記第１折り線により折り曲げられた第１折り辺を境にして第１広幅部と第１狭幅部とが形成され、さらに、前記第１折り辺と直交方向にある一方の端辺と他方の端辺との間に所定の間隔を設けるようにして、前記第１狭幅部が表面となるように、前記一方の端辺と他方の端辺と平行な第２折り線で２つ折りされ、前記第２折り線により折り曲げられた第２折り辺を境にして第２広幅部と第２狭幅部とが形成され、前記第２狭幅部を前記収納袋の開口部側に配置して収められていることを特徴とする。
【０００８】
請求項２に記載のシート包装体の製造方法によれば、矩形のシートが折り畳まれ、複数枚が束状に重ねられて収納袋に収められており、前記収納袋の開口部からシートを取り出すシート包装体の製造方法であって、前記シートは、対向する一方の端辺と他方の端辺とを揃えるように、または、対向する一方の端辺の縁部と他方の端辺の縁部とを重ね合わせるようにして、前記一方の端辺と他方の端辺と平行な２本の第１折り線でＣ字状に３つ折りされ、前記第１折り線により折り曲げられた第１折り辺を境にして第１広幅部と２つの第１狭幅部とが形成され、さらに、前記第１折り辺と直交方向にある一方の端辺と他方の端辺との間に所定の間隔を設けるようにして、前記第１狭幅部が表面となるように、前記一方の端辺と他方の端辺と平行な第２折り線で２つ折りされ、前記第２折り線により折り曲げられた第２折り辺を境にして第２広幅部と第２狭幅部とが形成され、前記第２狭幅部を前記収納袋の開口部側に配置して収められていることを特徴とする。
【０００９】
請求項３に記載のシート包装体の製造方法によれば、矩形のシートが折り畳まれ、複数枚が束状に重ねられて収納袋に収められており、前記収納袋の開口部からシートを取り出すシート包装体の製造方法であって、前記シートは、対向する一方の端辺と他方の端辺との間に所定の間隔を設けるようにして、前記一方の端辺と他方の端辺と平行な２本の第１折り線でＣ字状に３つ折りされ、前記第１折り線により折り曲げられた第１折り辺を境にして第１広幅部と２つの第１狭幅部とが形成され、さらに、前記第１折り辺と直交方向にある一方の端辺と他方の端辺との間に所定の間隔を設けるようにして、前記第１狭幅部が表面となるように、前記一方の端辺と他方の端辺と平行な第２折り線で２つ折りされ、前記第２折り線により折り曲げられた第２折り辺を境にして第２広幅部と第２狭幅部とが形成され、前記第２狭幅部を前記収納袋の開口部側に配置して収められていることを特徴とする。
【発明の効果】
【００１０】
請求項１に記載の発明によれば、収納袋に収められるシートは、対向する一方の端辺と他方の端辺との間に所定の間隔を設けるようにして、一方の端辺と他方の端辺と平行な第１折り線で２つ折りされ、第１折り線により折り曲げられた第１折り辺を境にして第１広幅部と第１狭幅部とが形成され、さらに、前記第１折り辺と直交方向にある一方の端辺と他方の端辺との間に所定の間隔を設けるようにして、第１狭幅部が表面となるように、一方の端辺と他方の端辺と平行な第２折り線で２つ折りされ、第２折り線により折り曲げられた第２折り辺を境にして第２広幅部と第２狭幅部とが形成され、第２狭幅部を収納袋の開口部側に配置して収められているので、開口部側のシートの表面上には、第１狭幅部の端辺と第２狭幅部の端辺がＴ字状に現れる。これにより、収納袋の開口部が大きく、開口部に手を挿入してシートの摘む箇所を手探りで探すような場合でも、シートの表面を指でなぞればシートの表面に現れた端辺のいずれかを容易を見つけることができ、その見つけた端辺を摘んで取り出すことで、容易に１枚のシートを取り出すことができる。
【００１１】
請求項２に記載の発明によれば、収納袋に収められるシートは、対向する一方の端辺と他方の端辺とを揃えるように、または、対向する一方の端辺の縁部と他方の端辺の縁部とを重ね合わせるようにして、一方の端辺と他方の端辺と平行な２本の第１折り線でＣ字状に３つ折りされ、第１折り線により折り曲げられた第１折り辺を境にして第１広幅部と２つの第１狭幅部とが形成され、さらに、第１折り辺と直交方向にある一方の端辺と他方の端辺との間に所定の間隔を設けるようにして、第１狭幅部が表面となるように、一方の端辺と他方の端辺と平行な第２折り線で２つ折りされ、第２折り線により折り曲げられた第２折り辺を境にして第２広幅部と第２狭幅部とが形成され、第２狭幅部を収納袋の開口部側に配置して収められているので、開口部側のシートの表面上には、第１狭幅部の端辺と第２狭幅部の端辺がＴ字状に現れる。これにより、収納袋の開口部が大きく、開口部に手を挿入してシートの摘む箇所を手探りで探すような場合でも、シートの表面を指でなぞればシートの表面に現れた端辺のいずれかを容易を見つけることができ、その見つけた端辺を摘んで取り出すことで、容易に１枚のシートを取り出すことができる。
【００１２】
請求項３に記載の発明によれば、収納袋に収められるシートは、対向する一方の端辺と他方の端辺との間に所定の間隔を設けるようにして、一方の端辺と他方の端辺と平行な２本の第１折り線でＣ字状に３つ折りされ、第１折り線により折り曲げられた第１折り辺を境にして第１広幅部と２つの第１狭幅部とが形成され、さらに、第１折り辺と直交方向にある一方の端辺と他方の端辺との間に所定の間隔を設けるようにして、第１狭幅部が表面となるように、一方の端辺と他方の端辺と平行な第２折り線で２つ折りされ、第２折り線により折り曲げられた第２折り辺を境にして第２広幅部と第２狭幅部とが形成され、第２狭幅部を前記収納袋の開口部側に配置して収められているので、開口部側のシートの表面上には、第１狭幅部の端辺と第２狭幅部の端辺がπ字状に現れる。これにより、収納袋の開口部が大きく、開口部に手を挿入してシートの摘む箇所を手探りで探すような場合でも、シートの表面を指でなぞればシートの表面に現れた端辺のいずれかを容易に見つけることができ、その見つけた端辺を摘んで取り出すことで、容易に１枚のシートを取り出すことができる。
【図面の簡単な説明】
【００１３】
【図１】本発明に係るシート包装体の第１例を示す説明図である。
【図２】（Ａ）〜（Ｃ）第１例に係るシート包装体の収納袋に収納されるシートの折り畳み工程を示す説明図である。
【図３】本発明に係るシート包装体の第２例を示す説明図である。
【図４】（Ａ）〜（Ｃ）第２例に係るシート包装体の収納袋に収納されるシートの折り畳み工程を示す説明図である。
【図５】第２例のシートの他例を示す説明図である。
【図６】本発明に係るシート包装体の第３例を示す説明図である。
【図７】（Ａ）〜（Ｃ）第３例に係るシート包装体の収納袋に収納されるシートの折り畳み工程を示す説明図である。
【図８】収納袋に第１例のシートを２列（２束）収納した状態を示す説明図である。
【発明を実施するための形態】
【００１４】
以下、本発明に係るシート包装体を実施するための形態を説明する。  
図１及び図２は本発明に係るシート包装体の第１例を示すものであり、図１は本発明に係るシート包装体の第１例を示す説明図、図２は第１例に係るシート包装体の収納袋に収納されるシートの折り畳み工程を示す説明図である。
【００１５】
本発明のシート包装体は、矩形のシート１が折り畳まれ、複数枚が束状に重ねられて収納袋２に収められている。
【００１６】
本発明におけるシート１は、不織布、織物、編物および紙等、その素材は特に限定されるものではないが、拭き取り性の観点から不織布シートである事が好ましい。
【００１７】
不織布の例としては、再生セルロース繊維やコットン等のセルロース繊維とポリエステル、ナイロンおよびポリプロプレン等の合成繊維を一定割合で混合した短繊維を水流絡合法によってシート化した不織布やニードルパンチ法、ケミカルボンド法およびサーマルボンド法によりシート化した短繊維不織布、スパンボンド法やメルトブロー法によりシート化した長繊維不織布、溶剤紡糸法で製造したセルロース長繊維不織布、キュプラアンモニウム法で製造されるキュプラ長繊維不織布等が挙げられる。
【００１８】
また、精製セルロース繊維であるリヨセル不織布や、キュプラアンモニア法レーヨン原液を流下緊張紡糸法によりネット上に連続紡糸し、繊維自体の自己接着や必要に応じて水流交絡により繊維を交絡させて不織布化した再生セルロース繊維不織布が挙げられる。これらの不織布は、工業部品や実験器具等に付着した埃や汚れを拭き取ったあとの繊維屑の脱落が極端に少ないので、本発明のシート１を工業部品や実験器具等に付着した埃や汚れ等を拭き取る産業用ワイパーとして用いる場合には特に好ましい。
【００１９】
シート１の大きさは、折り畳む前の展開状態で、例えば１辺が１００ｍｍ〜７００ｍｍの長方形または正方形である。シート１の厚みは折り畳みが可能であれば特に限定されない。また、シート１の積層枚数は収納袋２のサイズに応じて、例えば２０枚〜２００枚とすることができる。
【００２０】
シート１が収納される収納袋２は、透明または不透明の樹脂製フィルムからなり、その上面にシート１を取り出す開口部３が形成されている。収納袋２の形状は、折り畳まれたシート１を束状に重ねて収納できる形状であれば特に限定されず、本例では、直方体状に形成されている。また、開口部３の形状、大きさは、指を挿入でき、後述するシートの表面上に現れる端辺を摘むことができる形状、大きさであれば特に限定されない。本例では、開口部３は、折り畳んだ後のシート１の大きさ同程度の大きさであって、開口部３からシート１の表面が露出するように形成されている。
【００２１】
収納袋２を形成する樹脂製フィルムとしては、ポリエチレンフィルムやポリプロピレンフィルム等のポリオレフィン系フィルム，ポリエチレンテレフタレートやポリ乳酸等のポリエステル系フィルム，ポリ塩化ビニル系フィルム，ポリスチレン系フィルム，ポリカーボネート系フィルム，ポリアミド系フィルム等が用いられる。
【００２２】
ここで、第１例のシート１の折り畳み工程について説明する。  
まず、平判のシート１を、対向する一方の端辺４と他方の端辺５との間に所定の間隔Ｗ１を設けるようにして、一方の端辺４と他方の端辺５と平行な第１折り線Ｌ１で２つ折りし、この第１折り線Ｌ１により折り曲げられた第１折り辺６を境にして第１広幅部７と第１狭幅部８とを形成する（図２（Ａ）（Ｂ））。
【００２３】
次に、第１広幅部７と第１狭幅部８とが形成されたシート１を、第１折り辺６と直交方向にある一方の端辺９と他方の端辺１０との間に所定の間隔Ｗ２を設けるようにして、第１狭幅部８が表面となるように、一方の端辺９と他方の端辺１０と平行な第２折り線Ｌ２で２つ折りして、この第２折り線Ｌ２により折り曲げられた第２折り片１１を境にして第２広幅部１２と第２狭幅部１３とを形成する（図２（Ｃ））。
【００２４】
第１折り線Ｌ１により折り曲げられた一方の端辺４と他方の端辺５との間の間隔Ｗ１、および、第２折り線Ｌ２により折り曲げられた一方の端辺９と他方の端辺１０との間の間隔Ｗ２は、一方の端辺４，９と他方の端辺５，１０の間に指が入る長さに設定されており、５ｍｍ〜３０ｍｍが好ましく、特に１０ｍｍ〜２０ｍｍが好ましい。間隔Ｗ１，Ｗ２が５ｍｍ未満であると、一方の端辺４，９と他方の端辺５，１０の間に指を入れられず、シート１の表面に現れる他方の端辺５，１０が摘みづらくなる。一方、３０ｍｍを超えると、折り畳み後のシート１のサイズが大きくなり過ぎてしまい、輸送性や保管性が悪く、輸送コストや保管コストが嵩む。なお、間隔Ｗ１と間隔Ｗ２とは同じ長さにしても良いし、異なる長さにしても良い。
【００２５】
上記した工程により折り畳まれたシート１は、第２狭幅部１３が収納袋２の開口部３側にくるように配置され、複数枚が束状に重ねられて収納袋２に収められる（図１）。
【００２６】
このようにしてなされた本例のシート包装体によれば、開口部３側のシート１の表面上には、第１狭幅部８の端辺５と第２狭幅部１３の端辺１０がＴ字状に現れる。これにより、収納袋２の開口部３が大きく、開口部３に手を挿入してシート１の摘む箇所を手探りで探すような場合でも、シート１の表面を指でなぞればシート１の表面に現れた端辺５，１０を容易に見つけることができ、その見つけた端辺５，１０を摘んで取り出すことで、容易に１枚のシート１を取り出すことができる。
【００２７】
図３乃至図５は本発明に係るシート包装体の第２例を示すものであり、図３は本発明に係るシート包装体の第２例を示す説明図、図４（Ａ）〜（Ｃ）は第２例に係るシート包装体の収納袋に収納されるシートの折り畳み工程を示す説明図、図５は第２例のシートの他例を示す説明図である。
【００２８】
第２例のシート包装体は、第１例と同様に、矩形のシート１４が折り畳まれ、複数枚が束状に重ねられて収納袋２に収められている。
【００２９】
第２例のシート包装体において、第１例と相違する点はシート１４の折り畳み工程であるため、本例では、シート１４の折り畳み工程を説明し、その他については第１例の説明を援用する。
【００３０】
まず、平判のシート１４を、対向する一方の端辺１５と他方の端辺１６とを揃えるようにして、一方の端辺１５と他方の端辺１６と平行な２本の第１折り線Ｌ３でＣ字状に３つ折りし、第１折り線Ｌ３により折り曲げられた第１折り辺１７を境にして第１広幅部１８と２つの第１狭幅部１９，２０とを形成する（図４（Ａ）（Ｂ））。なお、本例では、一方の端辺１５と他方の端辺１６とを揃えるようにして、Ｃ字状に３つ折りしているが、例えば、図５に示すように、一方の端辺１５の縁部１５ａと他方の端辺１６の縁部１６ａとを重ね合わせるようにしてＣ字状に３つ折りしても良い。
【００３１】
次に、第１広幅部１８と第１狭幅部１９，２０とが形成されたシート１４を、第１折り辺１７と直交方向にある一方の端辺２１と他方の端辺２２との間に所定の間隔Ｗ３を設けるようにして、第１狭幅部１９，２０が表面となるように、一方の端辺２１と他方の端辺２２と平行な第２折り線Ｌ４で２つ折りし、第２折り線Ｌ４により折り曲げられた第２折り辺２３を境にして第２広幅部２４と第２狭幅部２５とを形成する（図４（Ｃ））。
【００３２】
第２折り線Ｌ４により折り曲げられた一方の端辺２１と他方の端辺２２との間の間隔Ｗ３は、一方の端辺２１と他方の端辺２２の間に指が入る長さに設定されており、５ｍｍ〜３０ｍｍが好ましく、特に１０ｍｍ〜２０ｍｍが好ましい。間隔Ｗ３が５ｍｍ未満であると、一方の端辺２１と他方の端辺２２の間に指を入れられず、シート１４の表面に現れる他方の端辺２２が摘みづらくなる。一方、３０ｍｍを超えると、折り畳み後のシート１４のサイズが大きくなり過ぎてしまい、輸送性や保管性が悪く、輸送コストや保管コストが嵩む。
【００３３】
上記した工程により折り畳まれたシート１４は、第２狭幅部２５が収納袋２の開口部３側にくるように配置され、複数枚が束状に重ねられて収納袋２に収められる（図３）。
【００３４】
このようにしてなされた本例のシート包装体によれば、開口部３側のシート１４の表面上には、第１狭幅部１９，２０の端辺１５，１６と第２狭幅部２５の端辺２２がＴ字状に現れる。これにより、収納袋２の開口部３が大きく、開口部３に手を挿入してシート１４の摘む箇所を手探りで探すような場合でも、シート１４の表面を指でなぞればシート１４の表面に現れた端辺１５，１６，２２のいずれかを容易を見つけることができ、その見つけた端辺１５，１６，２２を摘んで取り出すことで、容易に１枚のシート１４を取り出すことができる。
【００３５】
図６及び図７は本発明に係るシート包装体の第３例を示すものであり、図６は本発明に係るシート包装体の第３例を示す説明図、図７は第３例に係るシート包装体の収納袋に収納されるシートの折り畳み工程を示す説明図である。
【００３６】
第３例のシート包装体は、第１例及び第２例と同様に、矩形のシート２６が折り畳まれ、複数枚が束状に重ねられて収納袋２に収められている。
【００３７】
第３例のシート包装体において、第１例及び第２例と相違する点はシート２６の折り畳み工程であるため、本例では、シート２６の折り畳み工程を説明し、その他については第１例の説明を援用する。
【００３８】
まず、平判のシート２６を、対向する一方の端辺２７と他方の端辺２８との間に所定の間隔Ｗ４を設けるようにして、一方の端辺２７と他方の端辺２８と平行な２本の第１折り線Ｌ５でＣ字状に３つ折りし、第１折り線Ｌ５により折り曲げられた第１折り辺２９を境にして第１広幅部３０と２つの第１狭幅部３１，３２とを形成する（図７（Ａ）（Ｂ））。
【００３９】
次に、第１広幅部３０と第１狭幅部３１，３２とが形成されたシート２６を、第１折り辺２９と直交方向にある一方の端辺３３と他方の端辺３４との間に所定の間隔Ｗ５を設けるようにして、第１狭幅部３１，３２が表面となるように、一方の端辺３３と他方の端辺３４と平行な第２折り線Ｌ６で２つ折りし、第２折り線Ｌ６により折り曲げられた第２折り辺３５を境にして第２広幅部３６と第２狭幅部３７とを形成する（図７（Ｃ））。
【００４０】
第１折り線Ｌ５により折り曲げられた一方の端辺２７と他方の端辺２８との間の間隔Ｗ４、および、第２折り線Ｌ６により折り曲げられた一方の端辺３３と他方の端辺３４との間の間隔Ｗ５は、一方の端辺２７，３３と他方の端辺２８，３４の間に指が入る長さに設定されており、５ｍｍ〜３０ｍｍが好ましく、特に１０ｍｍ〜２０ｍｍが好ましい。間隔Ｗ４，Ｗ５が５ｍｍ未満であると、一方の端辺２７，３３と他方の端辺２８，３４の間に指を入れられず、シート２６の表面に現れる端辺２８，３４が摘みづらくなる。一方、３０ｍｍを超えると、折り畳み後のシート２６のサイズが大きくなり過ぎてしまい、輸送性や保管性が悪く、輸送コストや保管コストが嵩む。なお、間隔Ｗ４と間隔Ｗ５とは同じ長さにしても良いし、異なる長さにしても良い。
【００４１】
上記した工程により折り畳まれたシート２６は、第２狭幅部３７が収納袋２の開口部３側にくるように配置され、複数枚が束状に重ねられて収納袋２に収められる（図６）。
【００４２】
このようにしてなされた本例のシート包装体によれば、開口部３側のシート２２の表面上には、第１狭幅部３１，３２の端辺２７，２８と第２狭幅部３７の端辺３４がπ字状に現れる。これにより、収納袋２の開口部３が大きく、開口部３に手を挿入してシート２６の摘む箇所を手探りで探すような場合でも、シート２６の表面を指でなぞればシート２６の表面に現れた端辺２７，２８，３４のいずれかを容易に見つけることができ、その見つけた端辺２７，２８，３４を摘んで取り出すことで、容易に１枚のシート２６を取り出すことができる。
【００４３】
第１例から第３例では、収納袋２にシートを１列（１束）収納した場合について説明したが、本発明はこれに限定されず、例えば図８に示すように、収納袋２にシート１を２列（２束）収納しても良い。このように、収納袋２にシート１を２列（２束）収納すると、シート１を取り出す際に、隣り合うシート１の隣接領域３８に指を挿入することができ、隣接領域３８に面する端辺３９を容易に摘むことができる。
【符号の説明】
【００４４】
１，１４，２６  シート
２  収納袋
３  開口部
６，１７，２９  第１折り辺
７，１８，３０  第１広幅部
８，１９，２０，３１，３２  第１狭幅部
１１，２３，３５  第２折り辺
１２，２４，３６  第２広幅部
１３，２５，３７  第２狭幅部
Ｌ１，Ｌ３，Ｌ５  第１折り線
Ｌ２，Ｌ４，Ｌ６  第２折り線
【図１】
0005896526.tif 000002
【図２】
0005896526.tif 000003
【図３】
0005896526.tif 000004
【図４】
0005896526.tif 000005
【図５】
0005896526.tif 000006
【図６】
0005896526.tif 000007
【図７】
0005896526.tif 000008
【図８】
0005896526.tif 000009